(57)【要約】【課題】光配線用の配管と複数本のインドアケーブルの配線を同時に行うことができる集合光ケーブルと該集合光ケーブルを用いた光ケーブルの布設方法を提供する。【解決手段】複数本の光ファイバケーブル１３を集合した集合光ケーブル１１であって、中空のプラスチックパイプ１２の内壁面に複数本の光ファイバケーブル１３が所定の間隔で固定されている。光ファイバケーブル１３の固定は、ケーブル長手方向で間欠的に行われている。また、プラスチックパイプ１２は蛇腹状に形成したものを用いることができる。そして、プラスチックパイプの外面にパイプ内の光ファイバケーブルの位置を示す区切り線が付されている。【選択図】図１
2012058642.tif 000002
【特許請求の範囲】
【請求項１】
複数本の光ファイバケーブルを集合した集合光ケーブルであって、中空のプラスチックパイプの内壁面に前記複数本の光ファイバケーブルが所定の間隔で固定されていることを特徴とする集合光ケーブル。
【請求項２】
前記光ファイバケーブルの固定は、ケーブル長手方向で間欠的に行われていることを特徴とする請求項１に記載の集合光ケーブル。
【請求項３】
前記プラスチックパイプは蛇腹状であることを特徴とする請求項１または２に記載の集合光ケーブル。
【請求項４】
前記プラスチックパイプの外面に前記光ファイバケーブルの位置を示す区切り線が付されていることを特徴とする請求項１〜３のいずれか１項に記載の集合光ケーブル。
【請求項５】
請求項１〜４に記載の集合光ケーブルを布設した後、ケーブル長手方向の所定の位置でプラスチックパイプの外面に付した区切り線を目印に切り裂いて、ケーブル内の所定の光ファイバケーブルを引き出して分岐することを特徴とする光ケーブルの布設方法。
【発明の詳細な説明】
【技術分野】
【０００１】
本発明は、複数本の光ファイバケーブルを集合させ、ケーブル長手方向の任意の位置から引き出し可能とする集合光ケーブルと該集合光ケーブルを用いた光ケーブルの布設方法に関する。
【背景技術】
【０００２】
近年のＦＴＴＨ（Fiber To The Home）の本格的な導入に伴い、マンション等の集合住宅向けの経済的で効率的な光配線が重要となっている。現在、光ファイバを集合住宅の各戸に必要に応じて引き込み導入することができるように、複数本の光ファイバケーブル（光エレメントともいう）を集合した集合光ケーブルを、集合住宅内に予め布設するようにしている（例えば、特許文献１参照）。
【０００３】
このための集合光ケーブルとしては、例えば、図５（Ａ）に示すように、抗張力体２（テンションメンバともいう）の外周に複数本の光ファイバケーブル（以下、光エレメントという）３を撚り合わせた集合光ケーブル１ａが知られている（例えば、特許文献２参照）。この集合光ケーブル１ａの抗張力体２としては、例えば、鋼線等の抗張力線２ａの外周を樹脂被覆２ｂで覆ったものが用いられている。また、光エレメント３は、１または数心の光ファイバ心線４の両側にテンションメンバ５（抗張力体ともいう）を配し、外被６で一体に被覆したものが用いられている。
【０００４】
また、図５（Ｂ）に示すように、上記と同様な複数本の光エレメント３を、抗張力体を用いることなく撚り合わせ、または撚り合わせることなく集合して、パイプ状の保護被覆体７内に収納した集合光ケーブル１ｂ（例えば、特許文献３参照）も知られている。なお、保護被覆体７には、内部の光エレメント３が取り出しやすいように長手方向に沿ってスリット８が形成されている。
【先行技術文献】
【特許文献】
【０００５】
【特許文献１】特開２００４−１２５９１４号公報
【特許文献２】特開平１０−３３３０００号公報
【特許文献３】特開２００８−１２９１６８号公報
【発明の概要】
【発明が解決しようとする課題】
【０００６】
集合光ケーブルを集合住宅に布設する場合、新築の集合住宅では、予め光配線用の集合光ケーブルを屋内の共通部分等に這わせて布設することが可能で、外部に露出しないように布設することができる。既設の集合住宅においても、配線用の配管等がある場合は、その中に屋内布設用の光ファイバケーブル（インドアケーブルという）を通線することにより、各戸に光配線を行うことができるが、小規模なアパート等の建物では配管がないことが多い。このような場合は、インドアケーブルを１本ずつ壁沿いに配線し、各戸に引込むか、図５（Ａ）に示したような集合光ケーブルを用いる方法がある。
【０００７】
しかし、インドアケーブルや集合光ケーブルを壁面に沿わせて布設するのは、美観等の問題から好ましくない。そこで、図５（Ｂ）に示すようなパイプ状の被覆保護体（配管）を用いて複数本のインドアケーブルを配線するのが望まれるが、配管の布設とインドアケーブルの通線の作業が必要で、時間とコストがかかるという問題がある。
本発明は、上述した実状に鑑みてなされたもので、光配線用の配管の布設と複数本のインドアケーブルの配線を同時に行うことができる集合光ケーブルと該集合光ケーブルを用いた光ケーブルの布設方法を提供することを目的とする。
【課題を解決するための手段】
【０００８】
本発明による集合光ケーブルは、複数本の光ファイバケーブルを集合した集合光ケーブルであって、中空のプラスチックパイプの内壁面に複数本の光ファイバケーブルが所定の間隔で固定されていることを特徴とする。光ファイバケーブルの固定は、ケーブル長手方向で間欠的に行われている。また、プラスチックパイプは蛇腹状に形成したものを用いることができる。そして、プラスチックパイプの外面にパイプ内の光ファイバケーブルの位置を示す区切り線が付されていることが好ましい。
【０００９】
また、本発明による光ケーブルの布設方法は、上記の集合光ケーブルを布設した後、ケーブル長手方向の所定の位置でプラスチックパイプの外面に付した区切り線を目印に切り裂いてケーブル内の所定の光ファイバケーブルを引き出して分岐することを特徴とする。
【発明の効果】
【００１０】
本発明によれば、光ケーブル用の配管の布設と、複数本のインドアケーブルの配線を同時に行うことができ、配管の任意の箇所からインドアケーブルを引き出して分岐し、各戸に光配線を行うことができる。また、追加のインドアケーブルが必要となった場合は、前記の配管内にインドアケーブルを通線することにより対応することも可能である。
【図面の簡単な説明】
【００１１】
【図１】本発明の集合光ケーブルを集合住宅に布設する形態を説明する図である。
【図２】本発明による集合光ケーブルの一例を説明する図である。
【図３】本発明による集合光ケーブルの分岐形態を説明する図である。
【図４】本発明による集合光ケーブルの製造方法の一例を説明する図である。
【図５】従来の技術を説明する図である。
【発明を実施するための形態】
【００１２】
図１により本発明の集合光ケーブルの布設形態を説明する。図中、１０ａはドロップ光ケーブル、１０ｂは光スプリッタ、１１は集合光ケーブル、１２はプラスチックパイプ、１３は光ファイバケーブル（インドアケーブル）、１３’は取り出した光ファイバケーブル（インドアケーブル）、１４は引出し口を示す。
【００１３】
既設の集合住宅Ｈ（例えば、８戸程度）に光ファイバを布設導入しようとする場合、近くの幹線光ケーブルからドロップ光ケーブル１０ａを用いて、集合住宅のＨの軒下まで引き落とす。ドロップ光ケーブル１０ａは、１芯から数芯のものが用いられ、光スプリッタ１０ｂを用いて集合光ケーブル１１内の複数の光ファイバケーブル１３に光分岐する。なお、光ファイバケーブル１３は、張力が付加されない形態で使用されることから、支持線を有しない屋内配線用のケーブルが用いられ、以下、インドアケーブル１３とする。
【００１４】
集合光ケーブル１１は、後述するようにプラスチック製のパイプ１２の内壁面に複数本のインドアケーブル１３を接着してなる。この集合光ケーブル１１は、既設の集合住宅Ｈの軒下の外壁面等に沿って各戸を横切るように布設され、ＦＴＴＨの加入申請に応じて、プラスチックパイプ１２の適宜の位置で引出し口１４を開けて、内部の所定のインドアケーブル１３’を外に引き出す。外に引き出されたインドアケーブル１３’は、エアコンダクトのような開孔部ｈを介して室内に引き込まれる。なお、このインドアケーブル１３’は、戸内に引き込むに十分な長さが確保できるように集合光ケーブル１１から取り出し、長さが不足する場合は、光エレメントと同種の光ファイバケーブルが光コネクタやメカニカルスプライサ等を介して継ぎ足される。
【００１５】
図２は、上記した集合光ケーブルの一例を示す図である。図２（Ａ）に示す集合光ケーブル１１ａは、中空のプラスチックパイプ１２内に複数本のインドアケーブル１３を収納して構成される。プラスチックパイプ１２は、後述するように、プラスチックシートを円筒状に丸めて、その突合せ縁部１２ｃを接合して形成される。パイプ内壁面１２ａには、所定の間隔を開けて複数本のインドアケーブル１３が平行に接着固定されて配設され、パイプ外面１２ｂには、インドアケーブル１３の配設位置を示す区切り線１５を付すことができる。
【００１６】
インドアケーブル１３は、例えば、光ファイバ心線１３ａの両側にテンションメンバ１３ｂを配し、外被１３ｃで一体に被覆した形状で形成される。光ファイバ心線１３ａは、標準外径０.１２５ｍｍのガラスファイバに、１層または多層で外径が０.２５ｍｍ、０.５ｍｍまたは０．９ｍｍとなる保護被覆を施したものが用いられる。テンションメンバ１３ｂは、鋼線（０.４ｍｍΦ程度）またはＦＲＰ（０.４ｍｍ〜０.６ｍｍΦ）が用いられる。外被１３ｃは、高密度ポリエチレンまたは難燃ポリエチレンで形成され、外形が１.６ｍｍ×２.０ｍｍ程度の断面矩形状で、光ファイバ心線取り出し用のノッチが設けられている。
【００１７】
図２（Ｂ）に示す集合光ケーブル１１ｂは、蛇腹状のプラスチックパイプ１２’で形成した例を示し、予め波型に形成されたプラスチックシートを円筒状に丸めて、その突合せ端１２ｃ’を接合して形成される。図２（Ａ）の例と同様に、パイプ内面１２ａ’には、所定の間隔を開けて複数本のインドアケーブル１３が平行に接着固定されて配設され、パイプ外面１２ｂ’には、インドアケーブル１３の配設位置を示す区切り線１５’を付すことができる。この蛇腹状のプラスチックパイプ１２’を用いた集合光ケーブル１１ｂは、曲げを伴う場合にも容易に対応させることができる。
なお、上記の集合光ケーブル１１ａ,１１ｂは、４心もので外径が１８ｍｍΦ、８心のもので２２ｍｍΦ程度である。
【００１８】
図３は、上述した集合光ケーブル１１ａから１本のインドアケーブル１３’を分岐する例を示す図である。図３（Ａ）に示すように、プラスチックパイプ１２の外面には、内部のインドアケーブル１３の配設位置を示す区切り線１５が付されているので、この区切り線１５に沿って刃物等で切れ目を入れ、パイプの一部を部分的に切り開いて引出し口１４を形成する。この引出し口１４から所定のインドアケーブル１３’を取出し、屋内に引き込む。
【００１９】
インドアケーブル１３’を分岐するために開けた引出し口１４は、図３（Ｂ）に示すように、プラスチックパイプ１２と同色の樹脂テープ１６等を巻付けて、パイプ内に虫や塵埃、水分等のが侵入するのを防止する。また、この樹脂テープ１６の巻付けにより、インドアケーブル１３’の引出し部分を固定し、パイプの切れ目が進行しないようにすることができる。
なお、新規需要が発生した場合は、プラスチックパイプ１２内の空間を予め余裕を持たせたものを用い、かつインドアケーブル１３に通線性のよい低摩擦のケーブルを挿通させることで、対応させることも可能である。
【００２０】
図４は、上述した集合光ケーブルの製造方法の一例を示す図である。図４（Ａ）は、パイプ形成用のプラスチックのシート部材１７に、複数本のインドアケーブル１３を接着固定する例を示し、図４（Ｂ）は、シート部材１７を円筒状に閉じて本発明の集合光ケーブル１１ａとする例を示した図である。
【００２１】
図４（Ａ）に示すように、集合光ケーブルのプラスチックパイプは、帯状のプラスチックのシート部材１７の形状で長手方向に繰出し供給されて形成される。そのパイプ内壁面となるシート部材１７の一方の面１７ａを上側にして、複数本のインドアケーブル１３が所定の間隔（等間隔が望ましい）を開けて、平行に並ぶようにして繰出し供給される。繰出されるインドアケーブル１３は、その外被側面に接着剤（瞬間接着剤等）１８が間欠的（例えば、５００ｍｍ間隔）に塗布されて、シート部材１７の面１７ａに間欠的に接着固定される。
【００２２】
この後、図４（Ｂ）に示すように、インドアケーブル１３が接着固定された面１７ａを内側にして、その側縁１７ｃが互いに付き合わせるようにして円筒状に丸めて閉じる。突合された側縁１７ｃは瞬間接着剤等により完全に接着固定し封着することで、プラスチックパイプ１２の内壁面に複数本のインドアケーブル１３が接着固定され、シーム部１２ａで閉じられた形態の集合光ケーブルとされる。また、パイプ外面となるシート部材１７の他方の面（下面）１７ｂには、インドアケーブル１３の接着位置を表示する区切り線１４を付しておくのが好ましい。
【００２３】
また、シート部材１７には、波型に成型されたものを用いることにより、図２（Ｂ）で示した蛇腹状のプラスチックパイプとし、可撓性に優れた集合光ケーブルとすることができる。この場合も、前記と同様にパイプ内壁面となる面側に複数本のインドアケーブル１３が所定の間隔を開けて接着固定され、また各インドアケーブルは長手方向に間欠的に接着固定される。
インドアケーブル１３をパイプ内壁面に間欠的に接着固定することにより、集合光ケーブル布設時に曲がりが生じるような場合に、曲げ歪による断線や損失増大を緩和することができる。
【００２４】
上述のようにして形成された集合光ケーブルは、建物の壁面等に沿って横方向あるいは縦方向に布設され、パイプを用いた布設なので外観的な見苦しさはなく、複数本のインドアケーブルと該ケーブルを収納する配管（パイプ）の布設を同時に行うことができ、布設作業の時間やコストを低減することができる。そして、パイプ内のインドアケーブルは、適宜の位置から引き出して各戸に容易に分岐配線することができる。また、布設時のインドアケーブルはパイプ内壁面に接着固定され、パイプ中央部分は空間になっているので、追加のインドアケーブルが必要になった場合でも、後から追加的に挿入布設することが可能となる。
【符号の説明】
【００２５】
１０ａ…ドロップ光ケーブル、１０ｂ…光スプリッタ、１１，１１ａ，１１ｂ…集合光ケーブル、１２,１２’…プラスチックパイプ、１２ａ、１２ａ’…パイプ内壁面、１２ｂ，１２ｂ’…パイプ外面、１２ｃ，１２ｃ’…突合せ縁部、１３，１３’…光ファイバケーブル（インドアケーブル）、１３ａ…光ファイバ心線、１３ｂ…テンションメンバ、１３ｃ…外被、１４…引出し口、１５，１５’…区切り線、１６…樹脂テープ、１７…シート部材。
【図１】
2012058642.tif 000003
【図２】
2012058642.tif 000004
【図３】
2012058642.tif 000005
【図４】
2012058642.tif 000006
【図５】
2012058642.tif 000007